(57)【要約】【課題】消費電力をより低減させることが可能な換気機能付き浴室暖房乾燥装置を提供する。【解決手段】換気機能付き浴室暖房乾燥装置１は、熱源器３０からの温水により浴室を暖房および乾燥させる暖房乾燥ユニット１０と、送風機２３による送風により少なくとも浴室を換気する換気ユニット２０と、暖房乾燥ユニット１０を制御する第１のマイクロコンピュータと、第１のマイクロコンピュータと通信可能で且つ換気ユニット２０を制御する第２のマイクロコンピュータと、を備える。ここで、暖房乾燥ユニット１０は、第２のマイクロコンピュータにより換気ユニット２０が駆動されている場合に、暖房乾燥ユニット１０が非動作状態にあることに基づいて、省電力状態に移行する。【選択図】図１
2020085342.tif 000002
【特許請求の範囲】
【請求項１】
熱源器からの温水により浴室を暖房および乾燥させる暖房乾燥ユニットと、
送風機による送風により少なくとも浴室を換気する換気ユニットと、
前記暖房乾燥ユニットを制御する第１のマイクロコンピュータと、
前記第１のマイクロコンピュータと通信可能で且つ前記換気ユニットを制御する第２のマイクロコンピュータと、を備え、
前記暖房乾燥ユニットは、前記第２のマイクロコンピュータにより前記換気ユニットが駆動されている場合に、前記暖房乾燥ユニットが非動作状態にあることに基づいて、省電力状態に移行する、
ことを特徴とする換気機能付き浴室暖房乾燥装置。
【請求項２】
請求項１に記載の換気機能付き浴室暖房乾燥装置において、
前記省電力状態において、前記第１のマイクロコンピュータが省電力モードに移行する、
ことを特徴とする換気機能付き浴室暖房乾燥装置。
【請求項３】
請求項１に記載の換気機能付き浴室暖房乾燥装置において、
前記第１のマイクロコンピュータに対する電源の供給を遮断する遮断部を備え、
前記省電力状態において、前記遮断部により、前記第１のマイクロコンピュータに対する電源の供給を遮断させる、
ことを特徴とする換気機能付き浴室暖房乾燥装置。
【請求項４】
請求項３に記載の換気機能付き浴室暖房乾燥装置において、
操作入力の信号が前記第２のマイクロコンピュータに入力され、
前記第２のマイクロコンピュータは、前記第１のマイクロコンピュータに対する電源の供給が遮断されている状態において、前記暖房乾燥ユニットに関する操作入力の信号を受信した場合に、前記第１のマイクロコンピュータに電源を供給するよう前記遮断部を制御する、
ことを特徴とする換気機能付き浴室暖房乾燥装置。
【請求項５】
請求項１または２に記載の換気機能付き浴室暖房乾燥装置において、
電源電圧を変更可能な電源回路を備え、
前記省電力状態において、前記暖房乾燥ユニットの制御基板に対する前記電源回路の供給電源電圧を低減させる、
ことを特徴とする換気機能付き浴室暖房乾燥装置。
【請求項６】
請求項５に記載の換気機能付き浴室暖房乾燥装置において、
前記電源回路は、前記換気ユニットの制御基板にも電源電圧を供給し、
前記省電力状態において、前記換気ユニットの制御基板に対して供給される電源電圧を前記省電力状態に移行する前の電圧に維持する電圧調整回路を備える、
ことを特徴とする換気機能付き浴室暖房乾燥装置。
【請求項７】
請求項１ないし６の何れか一項に記載の換気機能付き浴室暖房乾燥装置において、
前記第２のマイクロコンピュータは、前記換気ユニットを常時動作させる２４時間換気機能を実行する、
ことを特徴とする換気機能付き浴室暖房乾燥装置。
【発明の詳細な説明】
【技術分野】
【０００１】
本発明は、浴室を暖房および乾燥させる機能と、少なくとも浴室を換気する機能とを備えた換気機能付き浴室暖房乾燥装置に関する。
【背景技術】
【０００２】
従来、熱源機から供給される温水により浴室を暖房および乾燥させる浴室暖房乾燥装置が知られている。また、この種の浴室暖房乾燥装置には、浴室とともに脱衣場等の他の部屋を換気する換気機能が設けられ得る。たとえば、以下の特許文献１には、暖房機能、乾燥機能および換気機能を備える浴室暖房換気装置が記載されている。この装置には、さらに、湯水をミスト状に噴射するミスト機能が設けられている。
【先行技術文献】
【特許文献】
【０００３】
【特許文献１】特開２００６−２１８１５９号公報
【発明の概要】
【発明が解決しようとする課題】
【０００４】
上記構成の換気機能付き浴室暖房乾燥装置では、消費電力の低減が望まれる。特に、換気機能として、常時換気を行う２４時間換気機能が実行される場合、換気機能による電力消費が大きくなる。このため、暖房乾燥ユニット側における電力消費を極力低減させることが要求される。
【０００５】
かかる課題に鑑み、本発明は、消費電力をより低減させることが可能な換気機能付き浴室暖房乾燥装置を提供することを目的とする。
【課題を解決するための手段】
【０００６】
本発明の主たる態様に係る換気機能付き浴室暖房乾燥装置は、熱源器からの温水により浴室を暖房および乾燥させる暖房乾燥ユニットと、送風機による送風により少なくとも浴室を換気する換気ユニットと、前記暖房乾燥ユニットを制御する第１のマイクロコンピュータと、前記第１のマイクロコンピュータと通信可能で且つ前記換気ユニットを制御する第２のマイクロコンピュータと、を備える。ここで、前記暖房乾燥ユニットは、前記第２のマイクロコンピュータにより前記換気ユニットが駆動されている場合に、前記暖房乾燥ユニットが非動作状態にあることに基づいて、省電力状態に移行する。
【０００７】
本態様に係る換気機能付き浴室暖房乾燥装置によれば、換気ユニットが駆動されている状態であっても、暖房乾燥ユニットが非動作状態にあれば、暖房乾燥ユニットが省電力状態に移行する。これにより、暖房乾燥ユニットにおける無駄な電力消費が抑制される。よって、換気機能付き浴室暖房乾燥装置における消費電力を低減させることができる。
【０００８】
本態様に係る換気機能付き浴室暖房乾燥装置は、前記省電力状態において、前記第１のマイクロコンピュータが省電力モードに移行するよう構成され得る。
【０００９】
この構成によれば、暖房乾燥ユニットが省電力状態にある場合に、少なくとも、第１のマイクロコンピュータにおける電力消費が抑制され得る。よって、換気機能付き浴室暖房乾燥装置における消費電力を低減させることができる。
【００１０】
また、本態様に係る換気機能付き浴室暖房乾燥装置は、前記第１のマイクロコンピュータに対する電源の供給を遮断する遮断部を備え、前記省電力状態において、前記遮断部により、前記第１のマイクロコンピュータに対する電源の供給を遮断させるよう構成され得る。
【００１１】
この構成によれば、暖房乾燥ユニットが省電力状態にある場合に、少なくとも、第１のマイクロコンピュータにおける電力消費が削減され得る。よって、換気機能付き浴室暖房乾燥装置における消費電力をより効果的に低減させることができる。
【００１２】
この場合、換気機能付き浴室暖房乾燥装置は、操作入力の信号が前記第２のマイクロコンピュータに入力されるよう構成され、前記第２のマイクロコンピュータは、前記第１のマイクロコンピュータに対する電源の供給が遮断されている状態において、前記暖房乾燥ユニットに関する操作入力の信号を受信した場合に、前記第１のマイクロコンピュータに電源を供給するよう前記遮断部を制御する構成され得る。
【００１３】
この構成によれば、暖房乾燥ユニットを動作させる操作入力に応じて、第１のマイクロコンピュータに円滑に電源を供給できる。よって、操作入力に応じて暖房または乾燥の機能を円滑に実行させることができる。
【００１４】
また、本態様に係る換気機能付き浴室暖房乾燥装置は、電源電圧を変更可能な電源回路を備え、前記省電力状態において、前記暖房乾燥ユニットの制御基板に対する前記電源回路の供給電源電圧を低減させるよう構成され得る。
【００１５】
この構成によれば、暖房乾燥ユニットが省電力状態にある場合に、少なくとも、暖房乾燥ユニットの制御基板における電力消費が抑制され得る。よって、換気機能付き浴室暖房乾燥装置における消費電力をより効果的に低減させることができる。
【００１６】
この構成において、前記電源回路が、前記換気ユニットの制御基板にも電源電圧を供給する場合、換気機能付き浴室暖房乾燥装置は、前記省電力状態において、前記換気ユニットの制御基板に対して供給される電源電圧を前記省電力状態に移行する前の電圧に維持する電圧調整回路を備えるよう構成され得る。
【００１７】
この構成によれば、省電力状態への移行により電源回路における供給電源電圧が低下しても、電圧調整回路によって、換気ユニットの制御基板に供給される電源電圧が、省電力状態へ移行する前の電圧に維持される。よって、省電力状態への移行に拘わらず、換気ユニットの動作を安定的に維持することができる。
【００１８】
本態様に係る換気機能付き浴室暖房乾燥装置において、前記第２のマイクロコンピュータは、前記換気ユニットを常時動作させる２４時間換気機能を実行するよう構成され得る。
【００１９】
２４時間換気機能が実行されると消費電力が大きくなるため、暖房乾燥ユニット側の電力消費を抑える必要がある。この点、本態様に係る換気機能付き浴室暖房乾燥装置によれば、上記のように、暖房乾燥ユニット側における無駄な電力消費を抑制できるため、換気機能付き浴室暖房乾燥装置の消費電力を抑制することができる。
【発明の効果】
【００２０】
以上のとおり、本発明によれば、消費電力をより低減させることが可能な換気機能付き浴室暖房乾燥装置を提供することができる。
【００２１】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２２】
【図１】図１は、実施形態１に係る換気機能付き浴室暖房乾燥装置の構成を示す図である。
【図２】図２は、実施形態１に係る換気機能付き浴室暖房乾燥装置の回路ブロックを示す図である。
【図３】図３（ａ）は、実施形態１に係る、暖房乾燥ユニットを省電力状態と通常状態との間で切り替える処理を示すフローチャートである。図３（ｂ）は、実施形態１に係る、省電力状態において行われる処理を示すフローチャートである。
【図４】図４は、実施形態２に係る換気機能付き浴室暖房乾燥装置の回路ブロックを示す図である。
【図５】図５（ａ）は、実施形態２に係る、暖房乾燥ユニットを省電力状態と通常状態との間で切り替える処理を示すフローチャートである。図５（ｂ）は、実施形態２に係る、第２マイコンから第１マイコンに対する操作信号の伝達処理を示すフローチャートである。
【図６】図６は、実施形態３に係る換気機能付き浴室暖房乾燥装置の回路ブロックを示す図である。
【図７】図７は、実施形態３に係る、暖房乾燥ユニットを省電力状態と通常状態との間で切り替える処理を示すフローチャートである。
【図８】図８は、実施形態４に係る換気機能付き浴室暖房乾燥装置の回路ブロックを示す図である。
【図９】図９は、実施形態４に係る、省電力状態において行われる処理を示すフローチャートである。
【発明を実施するための形態】
【００２３】
以下、本発明の実施形態について図面を参照して説明する。
【００２４】
＜実施形態１＞
図１は、実施形態１に係る換気機能付き浴室暖房乾燥装置１の構成を示す図である。図１において、暖房乾燥ユニット１０と換気ユニット２０は、筐体１０ａ、２０ａが断面で示されて、内部が透視された状態となっている。
【００２５】
図１に示すように、換気機能付き浴室暖房乾燥装置１は、暖房乾燥ユニット１０と、換気ユニット２０と、熱源機３０と、リモートコントローラ４０（以下、「リモコン４０」という）と、を備える。暖房乾燥ユニット１０と換気ユニット２０は、互いに一体化されている。
【００２６】
暖房乾燥ユニット１０は、筐体１０ａの下部に、空気を吸入するための吸入口１１と、空気を排出するための排出口１２とを備える。吸入口１１と排出口１２は、それぞれ、浴室の天井から浴室内に露出している。排出口１２には、空気の排出方向を変更するためのルーバ（図示せず）が設けられる。ルーバは、モータによって駆動される。筐体１０ａの内部には、吸入口１１と排出口１２との間に、空気の流路Ｐ１が構成される。流路Ｐ１に、熱交換器１３と送風機１４が配置されている。
【００２７】
熱交換器１３は、熱源機３０から供給される温水により、熱交換器１３を通過する空気を暖める。往路用の配管３１と復路用の配管３２が、熱交換器１３に接続されている。暖房機能および乾燥機能の実行時には、熱源機３０内のバーナ等によって加熱された温水が、配管３１、３２を介して熱交換器１３を循環する。これにより、熱交換器１３を通過する空気が暖められる。
【００２８】
送風機１４は、吸入口１１から排出口１２に向かって空気が流路Ｐ１を流れるように、空気を送風させる。送風機１４は、たとえば、クロスフローファンであり、図示しないモータにより駆動される。
【００２９】
暖房機能および乾燥機能の実行時には、送風機１４による送風により、吸入口１１から取り込まれた浴室内の空気が、熱交換器１３を通って、排出口１２から浴室内に排出される。熱交換器１３を空気が通る際に、空気が暖められ、除湿される。その後、空気が排出口１２から浴室内に排出されることにより、浴室内が暖房および乾燥される。こうして、浴室に対する暖房および乾燥が行われる。
【００３０】
換気ユニット２０は、筐体２０ａに、空気を吸入するための吸入口２１と、空気を排出するための排出口２２とを備える。吸入口２１は、浴室に繋がっている。排出口２２は、ダクトを介して、屋外に繋がっている。図１では、筐体２０ａに吸入口２１が１つだけ設けられているが、さらに他の吸入口が筐体２０ａに設けられていてもよい。この吸入口は、ダクトを介して、浴室以外の部屋（たとえば、脱衣場）に接続されている。
【００３１】
筐体２０ａの内部には、吸入口２１と排出口２２との間に、空気の流路Ｐ２が構成されている。流路Ｐ２に、送風機２３が配置されている。送風機２３は、たとえば、シロッコファンであり、図示しないモータにより駆動される。
【００３２】
換気機能の実行時には、送風機２３による送風により、吸入口２１から取り込まれた空気が、流路Ｐ２を通って、排出口２２から屋外に排出される。これにより、浴室等の換気が行われる。本実施形態では、換気ユニット２０を常時動作させる２４時間換気の機能が実行される。
【００３３】
暖房乾燥ユニット１０と換気ユニット２０には、それぞれ、制御基板１５、２４が設置されている。暖房乾燥ユニット１０側の制御基板１５に、リモコン４０が通信可能に接続されている。また、制御基板１５、２４は、互いに通信可能に接続されている。制御基板１５には、暖房乾燥ユニット１０および熱源機３０を駆動および制御するための回路部が配置され、制御基板２４には、換気ユニット２０を駆動および制御するための回路部が配置されている。
【００３４】
リモコン４０は、操作部４１と表示部４２とを備える。操作部４１には、換気機能付き浴室暖房乾燥装置１の運転を開始および停止させるための運転ボタンと、暖房、乾燥および換気の各機能を実行および停止させるための複数の操作ボタンとを含む。表示部４２には、各機能の実行の際に、所定の情報が表示される。
【００３５】
制御基板１５は、操作部４１に対する操作入力に応じた信号をリモコン４０から受信すると、受信した信号に応じた制御を実行する。たとえば、受信した信号が、暖房機能または乾燥機能に関する信号である場合、制御基板１５は、熱源機３０および暖房乾燥ユニット１０に対する制御を行う。たとえば、この制御として、制御基板１５は、送風機１４の駆動、熱源機３０におけるバーナの駆動、および排出口１２に設置されたルーバの駆動等の制御を行い、さらに、流路Ｐ１等に配置されたサーミスタ（図示せず）の検出値に基づいて熱源機３０から供給される温水の温度を調節する制御等を行う。
【００３６】
また、リモコン４０から受信した信号が、換気機能に関する信号である場合、制御基板１５は、この信号を、制御基板２４に転送する。これにより、制御基板２４において、当該信号に基づく換気制御が行われる。この制御において、送風機２３が駆動される。
【００３７】
図２は、換気機能付き浴室暖房乾燥装置１の回路ブロックを示す図である。
【００３８】
図２に示すように、暖房乾燥ユニット１０側の制御基板１５には、マイクロコンピュータ１０１（以下、「第１マイコン１０１」という）と、スイッチング電源１０２と、レギュレータ１０３と、通信回路１０４と、負荷群１０５とが配置されている。
【００３９】
第１マイコン１０１は、所定の制御プログラムに従って制御基板１５に配置された各回路部を制御する。
【００４０】
スイッチング電源１０２は、交流１００ボルトの商用電源から１２ボルトおよび１８ボルトの直流の電源電圧を生成する。このうち、直流１２Ｖの電源電圧は、制御基板１５において用いられる。ここでは、直流１２Ｖの電源電圧が、通信回路１０４と、負荷群１０５とに供給される。レギュレータ１０３は、スイッチング電源１０２から供給される直流１２ボルトの電源電圧から直流５ボルトの一定電圧を生成して、第１マイコン１０１に供給する。第１マイコン１０１は、レギュレータ１０３から供給される直流５ボルトの一定電圧で動作する。
【００４１】
通信回路１０４は、リモコン４０との間で通信を行う。通信回路１０４は、通信線によりリモコン４０に接続されている。第１マイコン１０１は、通信回路１０４を介してリモコン４０と通信を行う。通信回路１０４とリモコン４０とが無線通信により通信を行ってもよい。
【００４２】
負荷群１０５には、送風機１４の駆動モータを駆動する回路や、排出口１２に設けられたルーバの駆動モータを駆動する回路、および、排出口１２から排出される温風の温度を検出するサーミスタを制御する回路等、暖房乾燥ユニット１０の駆動系およびセンサ系の負荷群が含まれる。負荷群１０５は、スイッチング電源１０２により生成される直流１２ボルトの電源電圧によって駆動される。
【００４３】
換気ユニット２０側の制御基板２４には、マイクロコンピュータ２０１（以下、「第２マイコン２０１」という）と、ファン駆動回路２０２と、レギュレータ２０３とが配置されている。
【００４４】
第２マイコン２０１は、所定の制御プログラムに従って制御基板２４に配置された各回路部を制御する。第２マイコン２０１は、第１マイコン１０１に対して通信可能に接続されている。
【００４５】
ファン駆動回路２０２は、第２マイコン２０１からの制御により、換気ユニット２０に配置された送風機２３のモータを駆動する。ファン駆動回路２０２には、スイッチング電源１０２により生成された直流１８ボルトの電源電圧が供給される。
【００４６】
レギュレータ２０３は、スイッチング電源１０２から供給される直流１８ボルトの電源電圧から直流５ボルトの一定電圧を生成して、第２マイコン２０１に供給する。第２マイコン２０１は、レギュレータ２０３から供給される直流５ボルトの一定電圧で動作する。
【００４７】
リモコン４０からの信号は、通信回路１０４を介して、第１マイコン１０１に送信される。第１マイコン１０１は、受信した信号が暖房乾燥ユニット１０の機能に関するものである場合、当該信号に基づく制御（暖房、換気の制御）を行う。受信した信号が換気ユニット２０の機能に関するものである場合、第１マイコン１０１は、受信した信号を第２マイコン２０１に転送する。これに応じて、第２マイコン２０１は、当該信号に基づく制御（換気の制御）を行う。上記のように、本実施形態１では、第２マイコン２０１によって、２４時間換気の制御が行われる。
【００４８】
ところで、上記構成の換気機能付き浴室暖房乾燥装置１では、消費電力の低減が望まれる。特に、上記のように、換気機能として２４時間換気が実行される場合、換気機能による電力消費が大きくなる。このため、暖房乾燥ユニット１０側における電力消費を極力低減させることが要求される。
【００４９】
そこで、本実施形態１では、暖房乾燥ユニット１０における消費電力をより低減させるための制御が行われる。具体的には、換気ユニット２０が駆動されている場合に、暖房乾燥ユニット１０が非動作状態にあることに基づいて、暖房乾燥ユニット１０を省電力状態に移行させる制御が行われる。以下、この制御について説明する。
【００５０】
図３（ａ）は、暖房乾燥ユニット１０を省電力状態と通常状態との間で切り替える処理を示すフローチャートである。
【００５１】
第１マイコン１０１は、暖房乾燥ユニット１０の動作が停止した後（Ｓ１０１）、一定時間が経過したか否かを判定する（Ｓ１０２）。具体的には、第１マイコン１０１は、暖房乾燥ユニット１０の動作が停止してから一定時間、暖房乾燥ユニット１０に対する操作信号をリモコン４０から受信していないことを判定する。
【００５２】
暖房乾燥ユニット１０の動作が一定時間停止すると（Ｓ１０２：ＹＥＳ）、第１マイコン１０１は、暖房乾燥ユニット１０を省電力状態に設定する（Ｓ１０３）。
【００５３】
図３（ｂ）は、ステップＳ１０３の省電力状態において行われる処理を示すフローチャートである。
【００５４】
第１マイコン１０１は、内部クロックの周波数を通常動作時よりも低減させて、省電力モードに移行する（Ｓ２０１）。たとえば、第１マイコン１０１の内部クロックの周波数が高速、中速および低速の３段階に切り替え可能である場合、第１マイコン１０１は、通常動作時に内部クロックの周波数を高速に設定し、省電力状態では、内部クロックの周波数を中速または低速に切り替える。これにより、第１マイコン１０１の処理速度は低下するが、第１マイコン１０１の消費電力は低減される。
【００５５】
また、これと同時に、第１マイコン１０１は、暖房乾燥ユニット１０が非動作状態にある場合に動作させる不要がない周辺機能を停止させる（Ｓ２０２）。たとえば、第１マイコン１０１は、ステップＳ２０２において、図２の負荷群１０５に対する機能を停止させる。これに対し、通信回路１０４は、リモコン４０からの操作信号を継続的に受信可能である必要があるため、ステップＳ２０２において、通信回路１０４の機能は停止されない。同様に、スイッチング電源１０２およびレギュレータ１０３の機能についても、第１マイコン１０１を省電力モードで動作させ続ける必要があるため、ステップＳ２０２においてこれらの機能は停止されない。
【００５６】
図３（ａ）に戻り、第１マイコン１０１は、暖房乾燥ユニット１０を省電力状態に移行させた後（Ｓ１０３）、暖房乾燥ユニット１０に関する操作信号をリモコン４０から受信したか否かを判定する（Ｓ１０４）。その後、暖房乾燥ユニット１０に関する操作信号を受信すると（Ｓ１０４：ＹＥＳ）、第１マイコン１０１は、暖房乾燥ユニット１０を通常状態に復帰させる（Ｓ１０５）。具体的には、第１マイコン１０１は、内部クロックを高速に切り替えるとともに、省電状態において停止させた周辺機能を動作させる。これにより、操作信号に応じた暖房乾燥ユニット１０の機能が実行される。
【００５７】
＜実施形態１の効果＞
本実施形態によれば、以下の効果が奏され得る。
【００５８】
２４時間換気により換気ユニット２０が駆動されている状態であっても、暖房乾燥ユニット１０が非動作状態にあれば、暖房乾燥ユニット１０が省電力状態に移行する。これにより、暖房乾燥ユニット１０における無駄な電力消費が抑制される。よって、換気機能付き浴室暖房乾燥装置１における消費電力を低減させることができる。
【００５９】
図３（ｂ）に示したように、省電力状態において、第１マイコン１０１が省電力モードに移行する（Ｓ２０１）。これにより、暖房乾燥ユニット１０が省電力状態にある場合に、第１マイコン１０１における電力消費が抑制される。よって、換気機能付き浴室暖房乾燥装置１における消費電力を低減させることができる。
【００６０】
＜実施形態２＞
上記実施形態１では、リモコン４０と通信を行う通信回路１０４が暖房乾燥ユニット１０側の制御基板１５に装備された。これに対し、実施形態２では、リモコン４０と通信を行う通信回路が換気ユニット２０側の制御基板２４に装備される。
【００６１】
図４は、実施形態２に係る換気機能付き浴室暖房乾燥装置１の回路ブロックを示す図である。
【００６２】
上記のように、実施形態２では、通信回路２１１が換気ユニット２０側の制御基板２４に配置されている。通信回路２１１には、スイッチング電源１０２により生成された直流１８ボルトの電源電圧が供給される。その他の回路部は、上記実施形態１と同様である。
【００６３】
図５（ａ）は、実施形態２に係る、暖房乾燥ユニット１０を省電力状態と通常状態との間で切り替える処理を示すフローチャートである。図５（ｂ）は、実施形態２に係る、第２マイコン２０１から第１マイコン１０１に対する操作信号の伝達処理を示すフローチャートである。
【００６４】
図５（ａ）のステップＳ１０１〜Ｓ１０３、Ｓ１０５の処理は、図３（ａ）と同様である。本実施形態２では、暖房乾燥ユニット１０が省電力状態に移行した後（Ｓ１０３）、第１マイコン１０１が、暖房乾燥ユニット１０の機能に関する操作信号を第２マイコン２０１から受信したことに応じて（Ｓ１１０）、暖房乾燥ユニット１０が通常状態に復帰する（Ｓ１０５）。
【００６５】
図５（ｂ）に示すように、第２マイコン２０１は、リモコン４０から操作信号を受信すると（Ｓ３０１：ＹＥＳ）、当該操作信号が暖房乾燥ユニット１０の機能に関する操作信号であるか否かを判定する（Ｓ３０２）。そして、第２マイコン２０１は、当該操作信号が暖房乾燥ユニット１０の機能に関する操作信号である場合に（Ｓ３０２）、当該操作信号を第１マイコン１０１に送信する（Ｓ３０３）。
【００６６】
第１マイコン１０１は、省電力状態において（Ｓ１１０）、図５（ｂ）の処理により、第２マイコン２０１から操作信号を受信すると（Ｓ１１０：ＹＥＳ）、暖房乾燥ユニット１０を通常状態に復帰させる（Ｓ１０５）。これにより、上記のように、第１マイコン１０１の内部クロック周波数が高速に切り替えられ、停止されていた周辺機能が動作状態に復帰する。
【００６７】
なお、図５（ｂ）の処理は、暖房乾燥ユニット１０が省電力状態にある場合のみならず、暖房乾燥ユニット１０が通常状態にある場合も実行される。また、図５（ａ）のステップＳ１０１〜Ｓ１０３において、第１マイコン１０１は、暖房乾燥ユニット１０の動作が停止した後、一定期間、第２マイコン２０１から操作信号を受信しなかった場合に、暖房乾燥ユニット１０を省電力状態に移行させる。
【００６８】
実施形態２においても、上記実施形態１と同様の効果が奏され得る。
【００６９】
なお、図５（ａ）のフローチャートでは、上記のように、暖房乾燥ユニット１０が一定期間、非動作状態にあるか否かを第１マイコン１０１が判定して、暖房乾燥ユニット１０を省電力状態に移行させたが、第２マイコン２０１が、暖房乾燥ユニット１０が一定期間、非動作状態にあるか否かを判定して、暖房乾燥ユニット１０を省電力状態に移行させてもよい。
【００７０】
この場合、たとえば、暖房乾燥ユニット１０の動作が停止した場合に、そのことを示す信号が、第１マイコン１０１から第２マイコン２０１に送信される。第２マイコン２０１は、この信号を受信した後、一定期間、暖房乾燥ユニット１０の機能に関する操作信号をリモコン４０から受信しなかった場合に、暖房乾燥ユニット１０を省電力状態に移行させるための信号を第１マイコン１０１に送信する。これに応じて、第１マイコン１０１は、暖房乾燥ユニット１０を省電力状態に移行させる。
【００７１】
この構成によっても、上記実施形態１と同様の効果が奏され得る。
【００７２】
＜実施形態３＞
上記実施形態１、２では、省電力状態において、第１マイコン１０１が省電力モードに設定されたが、本実施形態３では、省電力状態において、第１マイコン１０１に対する電源電圧の供給が遮断される。
【００７３】
図６は、実施形態３に係る換気機能付き浴室暖房乾燥装置１の回路ブロックを示す図である。
【００７４】
実施形態３では、図４に示した実施形態２の回路ブロックに対し、電源電圧の供給を遮断するための遮断部１１０が設けられている。遮断部１１０は、第２マイコン２０１からの制御によって開閉可能なスイッチである。たとえば、遮断部１１０は、ＦＥＴ（Field effect transistor）等のスイッチング素子によって構成され得る。その他の回路部は、上記実施形態２と同様である。
【００７５】
図７は、実施形態３に係る、暖房乾燥ユニット１０を省電力状態と通常状態との間で切り替える処理を示すフローチャートである。この処理は、第２マイコン２０１によって行われる。
【００７６】
第２マイコン２０１は、暖房乾燥ユニット１０が停止した後（Ｓ４０１）、一定期間が経過したか否かを判定する（Ｓ４０２）。たとえば、第２マイコン２０１は、第１マイコン１０１から暖房乾燥ユニット１０の動作が停止したことを示す通知を受信した後、一定時間、暖房乾燥ユニット１０の機能に関する操作信号をリモコン４０から受信しなかったことを判定する。
【００７７】
ステップＳ４０２の判定がＹＥＳである場合、第２マイコン２０１は、遮断部１１０を開放させて、第１マイコン１０１に対する電源電圧の供給を遮断する（Ｓ４０３）。これにより、暖房乾燥ユニット１０が省電力状態に移行する。その後、第２マイコン２０１は、暖房乾燥ユニット１０に対する動作指示があったか否か、すなわち、暖房乾燥ユニット１０の機能に関する操作信号をリモコン４０から受信したか否かを判定する（Ｓ４０４）。そして、第２マイコン２０１は、暖房乾燥ユニット１０に対する動作指示があった場合に（Ｓ４０４：ＹＥＳ）、遮断部１１０を閉塞させて、第１マイコン１０１に対し電源電圧を供給させる（Ｓ４０５）。
【００７８】
本実施形態３によれば、暖房乾燥ユニット１０が省電力状態にある場合に、第１マイコン１０１における電力消費が削減されるため、換気機能付き浴室暖房乾燥装置１における消費電力をより効果的に低減させることができる。
【００７９】
また、第２マイコン２０１は、第１マイコン１０１に対する電源電圧の供給が遮断されている状態において、暖房乾燥ユニット１０に関する操作入力の信号をリモコン４０から受信した場合に、第１マイコン１０１に電源を供給するよう遮断部１１０を制御する。これにより、暖房乾燥ユニット１０を動作させる操作入力がリモコン４０になされたことに応じて、第１マイコン１０１に円滑に電源電圧を供給できる。よって、操作入力に応じて暖房または乾燥の機能を円滑に実行させることができる。
【００８０】
なお、図６の構成では、省電力状態において、第１マイコン１０１に対する電源電圧の供給が遮断されたが、さらに、負荷群１０５のうち、暖房乾燥ユニット１０が非動作状態にある場合に動作させる必要がない負荷群に対して、電源電圧の供給が遮断されてもよい。
【００８１】
また、遮断部１１０の配置位置がレギュレータ１０３と第１マイコン１０１との間の位置に変更されてもよい。レギュレータ１０３により生成される直流５ボルトの電圧が第１マイコン１０１以外の負荷にも供給される場合、省電力状態において、この負荷にはレギュレータ１０３からの電圧が供給されるように、遮断部１１０が配置されてもよい。
【００８２】
＜実施形態４＞
上記実施形態３では、省電力状態において、第１マイコン１０１に対する電源電圧の供給が遮断されたが、本実施形態４では、省電力状態において、スイッチング電源１０２により生成される電源電圧が低減される。
【００８３】
図８は、実施形態４に係る換気機能付き浴室暖房乾燥装置１の回路ブロックを示す図である。
【００８４】
図８に示すように、実施形態４では、図２に示した実施形態１の回路ブロックに対し、電圧値を一定値に維持するためのＤＣＤＣコンバータ２２１が追加されている。また、スイッチング電源１０２により生成される電源電圧の値が、第１マイコン１０１からの制御によって変更される。その他の回路部は、上記実施形態１と同様である。
【００８５】
暖房乾燥ユニット１０を省電力状態と通常状態との間で切り替える処理は、上記実施形態における図３（ａ）の処理と同様である。ただし、省電力状態に移行させるための処理（図３（ａ）のステップＳ１０３）は、図９の処理に変更される。
【００８６】
図９のフローチャートでは、図３（ｂ）のフローチャートに対し、ステップＳ２１０の処理が追加されている。ステップＳ２１０において、第１マイコン１０１は、スイッチング電源１０２により生成される電源電圧を低減させる。
【００８７】
上記のように、通常動作時において、スイッチング電源１０２は、直流１２ボルトの電源電圧と直流１８ボルトの電源電圧をそれぞれ生成する。本実施形態４では、省電力状態において、ステップＳ２１０の処理により、直流１２ボルトの電源電圧が直流８ボルトに低減され、これに伴い、直流１８ボルトの電源電圧が直流１２ボルトに低減される。ここで、スイッチング電源１０２は、スイッチング周期を制御することにより、電源電圧を低減させる。
【００８８】
このように、省電力状態において、スイッチング電源１０２の電源電圧を低減させることにより、スイッチング電源１０２の消費電力を低減させることができ、また、スイッチング電源１０２の電源電圧が供給される制御基板１５側の負荷群における消費電力を低減できる。なお、通信回路１０４およびレギュレータ１０３は、低減後の電源電圧によって動作可能である。換言すると、通信回路１０４およびレギュレータ１０３が動作可能な範囲で、スイッチング電源１０２から供給される電源電圧が低減される。
【００８９】
換気ユニット２０の制御基板２４側では、省電力状態において、スイッチング電源１０２から供給される電源電圧が低下しても、通常状態と同じ電源電圧が各回路部に供給される。具体的には、ＤＣＤＣコンバータ２２１によって、レギュレータ２０３およびファン駆動回路２０２に供給される電圧が直流１８ボルトに維持される。これにより、省電力状態においてスイッチング電源１０２の供給電圧が低減されても、換気ユニット２０の制御基板２４の各回路部を適切に動作させることができる。よって、２４時間換気を安定的に実行させることができる。
【００９０】
実施形態４によれば、省電力状態において、暖房乾燥ユニット１０の制御基板１５に対して供給されるスイッチング電源１０２の電源電圧が低減されるため、制御基板１５における電力消費が抑制され得る。よって、換気機能付き浴室暖房乾燥装置１における消費電力をより効果的に低減させることができる。
【００９１】
＜変更例＞
上記実施形態１〜４では、換気ユニット２０が２４時間換気を実行したが、換気ユニット２０は、必ずしも、２４時間換気を行わなくてもよい。たとえば、リモコン４０に対して換気機能をオン／オフする操作に応じて、換気ユニット２０の動作状態がオン／オフに切り替えられてもよい。
【００９２】
また、上記実施形態３においては、第１マイコン１０１に対する電源電圧の供給が遮断される前に、第２マイコン２０１から第１マイコン１０１に対して、電源電圧が遮断されることの通知がなされてもよい。たとえば、メモリやＥＥＰＲＯＭ（Electrically Erasable and Programmable Read-OnlyMemory）等の記憶素子が第１マイコン１０１に接続されている場合、第１マイコン１０１は、この通知を受信した際に、記憶素子に対してデータを書き込み中であれば、書き込みが終わるまで電源電圧の遮断を待つように第２マイコン２０１に通知し、データの書き込みが終われば、そのことを第２マイコン２０１に通知して、電源電圧を遮断させるようにしてもよい。
【００９３】
また、上記実施形態１〜４では、スイッチング電源１０２により生成される電源電圧が１８ボルトと１２ボルトであったが、スイッチング電源１０２により生成される電源電圧の値はこれに限られるものではない。また、上記実施形態４では、省電力状態において、電源電圧が１２ボルトおよび１８ボルトから８ボルトおよび１２ボルトに低減されたが、低減後の電圧値はこれに限られるものではない。
【００９４】
なお、上記実施形態１〜４に示した回路ブロックや、各回路部に供給される電源電圧は、適宜変更され得る。たとえば、図８に示したＤＣＤＣコンバータ２２１が他の定電圧回路に置き換えられてもよい。
【００９５】
また、上記実施形態１〜４では、換気機能付き浴室暖房乾燥装置１が、暖房および乾燥の機能と、換気の機能とを実行可能であったが、ミスト機能等の他の機能を、換気機能付き浴室暖房乾燥装置１がさらに備えていてもよい。
【００９６】
この他、本発明の実施形態は、特許請求の範囲に記載の範囲で適宜種々の変更可能である。
【符号の説明】
【００９７】
１  換気機能付き暖房乾燥装置
１０  暖房乾燥ユニット
２０  換気ユニット
３０  熱源機
４０  リモコン
４１  操作部
１０１  第１マイコン（第１のマイクロコンピュータ）
１０２  スイッチング電源（電源回路）
１１０  遮断部
２０１  第２マイコン（第２のマイクロコンピュータ）
２２１  ＤＣＤＣコンバータ（電圧調整回路）
【図１】
2020085342.tif 000003
【図２】
2020085342.tif 000004
【図３】
2020085342.tif 000005
【図４】
2020085342.tif 000006
【図５】
2020085342.tif 000007
【図６】
2020085342.tif 000008
【図７】
2020085342.tif 000009
【図８】
2020085342.tif 000010
【図９】
2020085342.tif 000011